(57)【要約】      （修正有）【課題】１つ以上のサブキャリアを各々含む複数の周波数帯域へと分割される複数のサブキャリアにて通信する無線通信端末を提供する。【解決手段】無線通信端末は、チャネル品質インジケータ（ＣＱＩ）測定に基づきＣＱＩ測定情報の報告を連続的に生成する。各報告は１つ以上の周波数帯域に対する差分でないチャネル品質インジケータ測定情報と、他の全ての周波数帯域の差分チャネル品質インジケータ測定情報とを含む。【選択図】図３
2007043697.tif 000002
【特許請求の範囲】
【請求項１】
１つ以上のサブキャリアを各々含む複数の周波数帯域へと分割される複数のサブキャリアからなるチャネルにより通信することが可能な無線通信デバイスにおける方法であって、
複数の周波数帯域のチャネル品質インジケータを測定する工程と、
連続的な報告によりチャネル品質インジケータ測定情報を報告する工程と、
各報告は１つ以上の周波数帯域の差分でないチャネル品質インジケータ測定情報を含み、かつ、各報告はチャネル品質インジケータの測定された他の全ての周波数帯域の差分チャネル品質インジケータ測定情報を含むことと、
各連続的な報告は異なる周波数帯域の差分でないチャネル品質インジケータ測定情報を含み、かつ、各連続的な報告はチャネル品質インジケータの測定された他の全ての周波数帯域の差分チャネル品質インジケータ測定情報を含むことと、からなる方法。
【請求項２】
各報告は１つ以下の周波数帯域の差分でないチャネル品質インジケータ測定情報を含み、かつ、各報告はチャネル品質インジケータの測定された他の全ての周波数帯域の差分チャネル品質インジケータ測定情報を含む請求項１に記載の方法。
【請求項３】
連続的な報告により各周波数帯域のチャネル品質インジケータ情報を巡回的に報告する工程を含む請求項２に記載の方法。
【請求項４】
差分でないチャネル品質インジケータ測定情報を報告する工程は平均チャネル品質インジケータ測定情報を報告する工程を含む請求項１に記載の方法。
【請求項５】
ビットマップにより差分チャネル品質インジケータ測定情報を報告する工程を含む請求項１に記載の方法。
【請求項６】
ビットマップとは別に差分でないチャネル品質インジケータ測定情報を報告する工程を含む請求項５に記載の方法。
【請求項７】
チャネル品質インジケータ情報を報告する工程において用いられるビットより少ないビットを用いて差分チャネル品質インジケータ情報を報告する工程を含む請求項１に記載の方法。
【請求項８】
ビットマップにより差分チャネル品質インジケータ測定情報を報告する工程と、各連続的な報告におけるビットマップは共通のビット数を有することと、を含む請求項１に記載の方法。
【請求項９】
チャネル品質インジケータが測定されるチャネルの複数の周波数帯域を識別する情報を、測定より前に受信する工程を含む請求項１に記載の方法。
【請求項１０】
対応するチャネルの以前に報告されたチャネル品質インジケータ測定情報に差分チャネル品質インジケータ測定情報を基づかせる工程を含む請求項１に記載の方法。
【請求項１１】
１つ以上のサブキャリアを各々含む複数の周波数帯域へと分割される複数のサブキャリアからなるチャネルにより通信することが可能な送受信機と、
同送受信機と通信可能に接続されており、かつ、複数の周波数帯域のチャネル品質インジケータ測定値を取得するプロセッサと、
同プロセッサはチャネル品質インジケータ測定値に基づきチャネル品質インジケータ測定情報の報告を連続的に生成することと、
各報告は１つ以上の周波数帯域の差分でないチャネル品質インジケータ測定情報を含み、かつ、各報告はチャネル品質インジケータの測定された他の全ての周波数帯域の差分チャネル品質インジケータ測定情報を含むことと、
各連続的な報告は異なる周波数帯域の差分でないチャネル品質インジケータ測定情報を含み、かつ、各連続的な報告はチャネル品質インジケータの測定された他の全ての周波数帯域の差分チャネル品質インジケータ測定情報を含むことと、からなる無線通信端末。
【請求項１２】
各報告は差分でないチャネル品質インジケータ測定情報を有するビットマップを含み、かつ、該報告は各々１つ以上の周波数帯域のチャネル品質インジケータ測定情報を含む請求項１１に記載の無線通信端末。
【請求項１３】
報告の有するビットにおいて差分チャネル品質インジケータ情報を報告するために割り当てられるビットは差分でないチャネル品質インジケータ情報を報告するために割り当てられるビットより少ないことを含む請求項１１に記載の無線通信端末。
【請求項１４】
各連続的な報告のビットマップはほぼ同じビット数である請求項１２に記載の無線通信端末。
【請求項１５】
差分チャネル品質インジケータ測定情報は対応するチャネルの以前に報告されたチャネル品質インジケータ測定情報に基づくことを含む請求項１１に記載の無線通信端末。
【発明の詳細な説明】
【技術分野】
【０００１】
本発明は無線通信に関する。より詳細には、本発明は１つ以上のサブチャネルを各々含む複数の周波数帯域のチャネル品質インジケータ（ＣＱＩ；ｃｈａｎｎｅｌ  ｑｕａｌｉｔｙ  ｉｎｄｉｃａｔｏｒ）による報告に関する。このＣＱＩは、例えば、直交周波数分割多元接続（ＯＦＤＭＡ）システムなどにおける通信システムのスケジューリングや、それに関連する方法において有用である。
【背景技術】
【０００２】
直交周波数分割多元接続（ＯＦＤＭＡ）による無線通信プロトコルや、マルチキャリア変調法によるその他のプロトコルでは、周波数選択的（ＦＳ；Ｆｒｅｑｕｅｎｃｙ  Ｓｅｌｅｃｔｉｖｅ）スケジューラを用いて、時間領域及び周波数領域においてスケジューリングの最適化が行われる。理想的なＦＳスケジューリングでは、周波数非選択的（ＦＮＳ；Ｆｒｅｑｕｅｎｃｙ  Ｎｏｎ−Ｓｅｌｅｃｔｉｖｅ）スケジューリングと比較して、システムスループットが５０％ほど改良される。時分割−符号分割多元接続（ＴＤ−ＣＤＭＡ）の物理レイヤではＦＮＳスケジューリングが行われ、スケジューリングは時間領域においてのみ有効とされる。各移動体端末、即ち、ユーザ機器（ＵＥ；Ｕｓｅｒ  Ｅｑｕｉｐｍｅｎｔ）により周波数帯域毎のチャネル品質インジケータ（ＣＱＩ）が提供され、基地局（ＢＳ；Ｂａｓｅ  Ｓｔａｔｉｏｎ）スケジューラによるＦＳスケジューリングが可能となることは周知である。
【発明の開示】
【発明が解決しようとする課題】
【０００３】
１つ以上のサブチャネルを各々含む複数の周波数帯域のチャネル品質インジケータによる報告を提供する。
【課題を解決するための手段】
【０００４】
上記問題点を解決するために、請求項１に記載の発明は、１つ以上のサブキャリアを各々含む複数の周波数帯域へと分割される複数のサブキャリアからなるチャネルにより通信することが可能な無線通信デバイスにおける方法であって、複数の周波数帯域のチャネル品質インジケータを測定する工程と、連続的な報告によりチャネル品質インジケータ測定情報を報告する工程と、各報告は１つ以上の周波数帯域の差分でないチャネル品質インジケータ測定情報を含み、かつ、各報告はチャネル品質インジケータの測定された他の全ての周波数帯域の差分チャネル品質インジケータ測定情報を含むことと、各連続的な報告は異なる周波数帯域の差分でないチャネル品質インジケータ測定情報を含み、かつ、各連続的な報告はチャネル品質インジケータの測定された他の全ての周波数帯域の差分チャネル品質インジケータ測定情報を含むことと、からなることを要旨とする。
【０００５】
請求項２に記載の発明は、請求項１に記載の方法において、各報告は１つ以下の周波数帯域の差分でないチャネル品質インジケータ測定情報を含み、かつ、各報告はチャネル品質インジケータの測定された他の全ての周波数帯域の差分チャネル品質インジケータ測定情報を含むことを要旨とする。
【０００６】
請求項３に記載の発明は、請求項２に記載の方法において、連続的な報告により各周波数帯域のチャネル品質インジケータ情報を巡回的に報告する工程を含むことを要旨とする。
【０００７】
請求項４に記載の発明は、請求項１に記載の方法において、差分でないチャネル品質インジケータ測定情報を報告する工程は平均チャネル品質インジケータ測定情報を報告する工程を含むことを要旨とする。
【０００８】
請求項５に記載の発明は、請求項１に記載の方法において、ビットマップにより差分チャネル品質インジケータ測定情報を報告する工程を含むことを要旨とする。
請求項６に記載の発明は、請求項５に記載の方法において、ビットマップとは別に差分でないチャネル品質インジケータ測定情報を報告する工程を含むことを要旨とする。
【０００９】
請求項７に記載の発明は、請求項１に記載の方法において、チャネル品質インジケータ情報を報告する工程において用いられるビットより少ないビットを用いて差分チャネル品質インジケータ情報を報告する工程を含むことを要旨とする。
【００１０】
請求項８に記載の発明は、請求項１に記載の方法において、ビットマップにより差分チャネル品質インジケータ測定情報を報告する工程と、各連続的な報告におけるビットマップは共通のビット数を有することと、を含むことを要旨とする。
【００１１】
請求項９に記載の発明は、請求項１に記載の方法において、チャネル品質インジケータが測定されるチャネルの複数の周波数帯域を識別する情報を、測定より前に受信する工程を含むことを要旨とする。
【００１２】
請求項１０に記載の発明は、請求項１に記載の方法において、対応するチャネルの以前に報告されたチャネル品質インジケータ測定情報に差分チャネル品質インジケータ測定情報を基づかせる工程を含むことを要旨とする。
【００１３】
請求項１１に記載の発明は、１つ以上のサブキャリアを各々含む複数の周波数帯域へと分割される複数のサブキャリアからなるチャネルにより通信することが可能な送受信機と、同送受信機と通信可能に接続されており、かつ、複数の周波数帯域のチャネル品質インジケータ測定値を取得するプロセッサと、同プロセッサはチャネル品質インジケータ測定値に基づきチャネル品質インジケータ測定情報の報告を連続的に生成することと、各報告は１つ以上の周波数帯域の差分でないチャネル品質インジケータ測定情報を含み、かつ、各報告はチャネル品質インジケータの測定された他の全ての周波数帯域の差分チャネル品質インジケータ測定情報を含むことと、各連続的な報告は異なる周波数帯域の差分でないチャネル品質インジケータ測定情報を含み、かつ、各連続的な報告はチャネル品質インジケータの測定された他の全ての周波数帯域の差分チャネル品質インジケータ測定情報を含むことと、からなることを要旨とする。
【００１４】
請求項１２に記載の発明は、請求項１１に記載の無線通信端末において、各報告は差分でないチャネル品質インジケータ測定情報を有するビットマップを含み、かつ、該報告は各々１つ以上の周波数帯域のチャネル品質インジケータ測定情報を含むことを要旨とする。
【００１５】
請求項１３に記載の発明は、請求項１１に記載の無線通信端末において、報告の有するビットにおいて差分チャネル品質インジケータ情報を報告するために割り当てられるビットは差分でないチャネル品質インジケータ情報を報告するために割り当てられるビットより少ないことを含むことを要旨とする。
【００１６】
請求項１４に記載の発明は、請求項１２に記載の無線通信端末において、各連続的な報告のビットマップはほぼ同じビット数であることを要旨とする。
請求項１５に記載の発明は、請求項１１に記載の無線通信端末において、差分チャネル品質インジケータ測定情報は対応するチャネルの以前に報告されたチャネル品質インジケータ測定情報に基づくことを要旨とする。
【発明を実施するための最良の形態】
【００１７】
図１には、セルラーネットワークからなる例示的な無線通信システムを示す。このセルラーネットワークには、地理領域を通じて分配されている複数のセルサービング基地局１１０が含まれる。セルサービング基地局、即ち、基地局送受信機１１０は、一般にセルサイトとも呼ばれる。各セルサイトは、セクタとも呼ばれる１つ以上のセルからなる。基地局はコントローラ１２０により通信可能に相互接続されている。通常、コントローラ１２０はゲートウェイを介して公衆交換電話網（ＰＳＴＮ）１３０及びパケットデータネットワーク（ＰＤＮ）１４０へ接続されている。このネットワークは、データルーティング、アドミッション制御、加入者課金、端末認証などを含む管理機能を備えるが、当業者には一般に知られているように、他のネットワークエンティティにより管理機能が制御されてもよい。やはり当業者には一般に知られているように、無線移動体端末、例えば、セルラー端末１０２は音声又はデータを相互に通信するとともに、ネットワーク１００や、例えば、ＰＳＴＮ又はＰＤＮなど他のネットワークを介してエンティティと通信する。
【００１８】
図２には、例示的な無線端末２００を示す。無線端末２００はプロセッサ２１０及びメモリ２２０を備えており、プロセッサ２１０はメモリ２２０に通信可能に接続されている。メモリ２２０は、例えば、ＲＡＭ、ＲＯＭなどである。無線送受信機２３０は無線インタフェースを通じて上述のネットワークの基地局と通信する。また、無線端末２００は他の入出力に加えて、ディスプレイ、マイクロホン及び音声出力を含む、ユーザインタフェース（ＵＩ）２４０も備える。当業者には一般に知られているように、プロセッサはメモリに記憶される実行可能なプログラムの制御下にある、ディジタルコントローラ又はデジタル信号プロセッサとして実装されてよい。
【００１９】
図１の基地局１１０は各々、対応するセルラーエリアにおいて移動体端末をスケジューリングし、移動体端末にリソースを割り当てるためのスケジューラを備える。例えば、８０２．１６ｅ、３ＧＰＰ２のマルチキャリアＨＲＰＤ−Ａ、及び３ＧＰＰのＵＴＲＡ／ＵＴＲＡＮスタディアイテムのロングタームエボリューション（エボルブド（ｅｖｏｌｖｅｄ）ＵＴＲＡ／ＵＴＲＡＮ、即ち、ＥＵＴＲＡ／ＥＵＴＲＡＮとしても知られている）を含む、直交周波数分割多元接続（ＯＦＤＭＡ）、マルチキャリア接続又はマルチチャネルＣＤＭＡ無線通信プロトコルでは、周波数選択的（ＦＳ）スケジューラを用いて、時間領域及び周波数領域においてスケジューリングが行われる。一般に、基地局スケジューラによるＦＳスケジューリングを可能とするには、各移動体端末により周波数帯域毎のチャネル品質インジケータ（ＣＱＩ）が提供される必要がある。
【００２０】
一般に、ＯＦＤＭ並びに移動局によるＣＱＩ報告が有用である他の通信プロトコル及びフォーマットでは、チャネルは、複数の周波数帯域へと分割される複数のサブキャリアからなり、各周波数帯域には１つ以上のサブキャリアが含まれる。サブキャリアは連結されたキャリアからなってもよく、別個のキャリアからなってもよい。例えば、ＣＤＭＡマルチキャリアシステムでは、キャリアはサブキャリアであってよく、各周波数帯域には１つ以上のサブキャリアが含まれてよい。
【００２１】
図３の例示的な処理３００では、３１０にて、移動体端末は複数の周波数帯域の各々のチャネル品質インジケータを測定する。ＯＦＤＭシステムでは、帯域は単一のサブキャリアほどに小さくてもよく、或いは、複数のサブキャリア、例えば、１５や２５のサブキャリアなどからなってもよい。複数の送受信アンテナを備えるＭＩＭＯ方式の送受信機により生成されるように、測定される幾つかの周波数帯域により、１より多くの空間サブチャネルがカバーされてもよい。一般に、ＣＱＩ測定は定期的に、例えば、１フレーム毎や数フレーム毎に行われる。また、測定がイベント駆動されてもよい。これに代えて、ネットワークによりＣＱＩ測定が要求されてもよく、或いは例えば、先のＣＱＩ報告から現在の時刻までに過剰な期間が経過した場合に、要求されていないＣＱＩ報告が移動体端末により自律的に送信されてもよい。
【００２２】
リンクは周波数選択的（ＦＳ）モード又は周波数非選択的（ＦＮＳ）モードで動作してもよく、或いは例えば、ハイブリッドモード又は半選択的モードなど、他のモードで動作してもよい。通常、ＦＳモードには、ＦＳ（帯域特定的）ＣＱＩ報告及び（ＢＳが他の決定を行わない限りは）ＦＳスケジューリングが存在する。同様にＦＮＳモードでは、ＦＮＳ  ＣＱＩ報告及びＦＮＳスケジューリングが行われる。ＦＳモード及びＦＮＳモードはそれぞれ、例えば、低速（低ドップラー）動作及び高速動作で用いられてよい。しかしながら、例えば、ＣＱＩフィードバックを減少させるためやスケジューラの多重化のため、低速動作にもＦＮＳモードが用いられてよい。また、ＣＱＩフィードバックを増大させる代わりに、ＦＮＳスケジューリングにおいて帯域特定的なＦＳ報告が用いられてもよい。ＦＮＳモードでは、通常、複数の周波数帯域により広帯域（ワイドバンド）チャネルがカバーされ、分解される場合もあるが、割り当てられる周波数リソースのほぼ全帯域幅が考慮される。ＦＮＳモードでは、複数の周波数帯域の各々に対し測定されるチャネル品質インジケータは単一のＦＮＳ（即ち、広帯域）チャネル品質インジケータとして表現され得る。ＦＳモードでは、測定される複数の周波数帯域の各々は狭帯域（ナローバンド）チャネルであっても、狭帯域情報全体は依然として広帯域測定を表す。複数の周波数帯域の各々のチャネル品質インジケータはＦＳ（即ち、狭帯域）チャネル品質インジケータと呼ばれる場合がある。
【００２３】
ＵＥは広帯域ＣＱＩ動作と狭帯域ＣＱＩ動作とを自律的に交換してもよく、基地局からの指示により交換してもよい。自律的な交換の場合、ＵＥはＣＱＩモードのそうした変更を、物理レイヤシグナリング又はＭＡＣレイヤシグナリングを介して基地局へ伝達する。また、帯域特定的なＣＱＩ報告を常に送信することも可能であるが、それはおそらく効率的でない。例えば、ＦＳ  ＣＱＩ報告におけるような報告により、スケジューラは、ＣＱＩ報告自体の詳細に加え、追加のＵＥ固有情報（例えば、ユーザ固有ドップラー周波数推定値）やさらにシグナリングにより伝達される情報に基づき、ＦＳ及びＦＮＳのうちのいずれでスケジューリングするかを判定することが可能となる。ＦＳスケジューリングか或いはＦＮＳスケジューリングかの選択は、伝播チャネルマルチパス遅延時間プロファイルや移動体端末性能に加え、例えば、ボイスオーバＩＰ（ＶｏＩＰ；Ｖｏｉｃｅ  ｏｖｅｒ  ＩＰ）など従来のサービスクラスのサービス品質（ＱｏＳ；Ｑｕａｌｉｔｙ  ｏｆ  Ｓｅｒｖｉｃｅ）を必要とするパケットデータや、ウェッブブラウジング又はＨＴＴＰサービスなどベストエフォート型のサービスを必要とするパケットデータなど、サポートされるサービスタイプ又はトラフィックタイプによって決定されてもよい。ＦＮＳスケジューリングは、例えば、特定のＱｏＳクラスに対し適用される。また、チャネル強度周波数応答が周波数により不変である「平坦な」フェージングチャネル、即ち、ＡＷＧＮチャネルであるなど、マルチパスチャネルが周波数選択的でない場合、或いは、ＣＱＩ報告レートが高ドップラー周波数による帯域ＣＱＩ変動に応じるのに充分に速くない場合にも適用される。
【００２４】
各移動体端末に割り当てられる複数の周波数帯域は、帯域の大きさ及び数に関して、アップリンクのシステム負荷、トラフィックタイプ、移動体端末クラス、推定されるチャネルドップラー、チャネル周波数選択性、コヒーレンス帯域幅、セル周波数再使用、達成可能ＳＮＲ、達成可能ペイロード及び帯域ＣＱＩの標準偏差のうちの１つ以上に基づき、又はこれらの任意の組み合わせに基づき判定されてよい。また、移動体端末に割り当てられる複数の周波数帯域は異なるグループ、即ち、チャネルへ分割されてよい。一部の実施形態では、移動局によりＣＱＩ測定が行われる周波数帯域は、スケジューラにより決定される。これらの実施形態では、移動局が測定より前に例えばメッセージなどの情報を受信し、チャネル品質インジケータの測定される複数の周波数帯域を識別してもよい。一般に、測定が行われる周波数帯域の識別子が変更されてもよい。他の実施形態では、移動局が測定の行われる周波数帯域を決定する。一部の実施形態では、この情報は、測定の行われるより前又は後に、スケジューラへ報告される。
【００２５】
一部の実施形態では、移動体端末、即ち、ユーザ機器（ＵＥ）はＣＱＩを推定する。一方法では、ＵＥは基地局により送信される共通又は専用の参照シンボルを用い、広帯域ＣＱＩ又は狭帯域ＣＱＩを算出する。これに代えて、ＵＥはパイロットシンボルとデータシンボルとの組み合わせに基づきＣＱＩを算出してもよく、或いは、データシンボルのみに基づきＣＱＩを算出してもよい。パイロットシンボルは情報フレーム毎に送信され、隣接セルにおいて同じ時間周波数位置を占めるので、パイロットシンボルを通じて報告されるＣＱＩはデータシンボルを通じて報告されるＣＱＩと一致しない場合がある。したがって、パイロットの観測及びデータの観測においては、衝突及び衝突による干渉の統計値が異なる場合がある。この場合、ＵＥは周波数領域にフィルタ又は非線形演算子を適用し、周波数における一様でない衝突イベントを平滑化してよい。この場合、同期ネットワークでは、ＵＥは周囲との同期又は隣接基地局からのチャネルシーケンスシンボルの連係処理に基づきＣＱＩ推定も行ってよい。また、基地局は他の基地局からのデータ送信の認識に基づき、報告されるＣＱＩ測定値を変更してもよく、基地局がシグナリングを介して必要なネットワーク設定データを提供することにより、ＵＥに変更を指示してもよい。
【００２６】
図３では、３３０にて、移動体端末はチャネル品質インジケータが測定された周波数帯域のＣＱＩ測定情報を、ネットワークスケジューラへ送信する。一実施形態では、ＣＱＩ測定情報は、測定が行われた周波数帯域の各々に対するビットフィールドを有する２値ビットマップの形式である。各ビットフィールドは、対応する周波数帯域のＣＱＩ測定情報を表す１つ以上のビットを収容する。
【００２７】
一実施形態では、移動体端末は連続的な報告により異なる帯域のＣＱＩ測定情報を巡回的に報告する。より詳細には、各ＣＱＩ報告には、１つ以上の周波数帯域に対する差分でないチャネル品質インジケータ測定情報と、チャネル品質インジケータの測定された他の全ての周波数帯域に対する差分チャネル品質インジケータ測定情報とが含まれる。差分チャネル品質インジケータ測定情報は、対応する周波数帯域の以前に報告されたＣＱＩ測定情報に基づく。各々の連続的な報告には、１つ以上の異なる周波数帯域に対する差分でないチャネル品質インジケータ測定情報が含まれ、かつ、各々の連続的な報告には、チャネル品質インジケータの測定された他の全ての周波数帯域に対する差分ＣＱＩ測定情報が含まれる。
【００２８】
一般に、差分ＣＱＩ測定情報を報告するのに必要なビットはチャネル品質インジケータ情報を報告するために用いられるビットより少ないため、メッセージ全体のサイズが減少される。一実施形態では、各周波数帯域の差分ＣＱＩ測定情報の各々に対し１つのビットが用いられて、全帯域の差分ＣＱＩ測定情報はビットマップにより表される。各連続的な報告におけるビットマップは共通のビット数を有する。詳細には、各報告のビットマップは同じサイズである。報告と連続的な報告とが、共通のビット数を有する場合もある。例えば、報告はビットマップに対する共通のビット数を有し、１つ以上の周波数帯域の差分でないチャネル品質インジケータ測定情報に対する共通のビット数を有する。一部の実施形態では、この報告には例えば、ドップラー又はＵＥの速度など、ＣＱＩ測定値以外の情報に割り当てられるビットフィールドに関する追加のビットが含まれる。
【００２９】
図４では、第１の報告４０２にて、帯域１に対してＣＱＩ情報が報告され、帯域２〜８に対して差分ＣＱＩ情報が報告される。報告４０４では、帯域２に対してＣＱＩ情報が報告され、帯域１，３〜８に対して差分ＣＱＩ情報が報告される。各帯域が報告されるまで、各連続的な報告には、異なる周波数帯域に対するＣＱＩ測定情報が含まれる。他の実施形態では、各報告において、１より多く全帯域より少ない帯域に対してＣＱＩ情報が報告される。他の帯域に対しては、差分ＣＱＩ情報が報告される。一実施形態では、差分でないチャネル品質インジケータ測定情報は平均のチャネル品質インジケータ測定情報である。図４では、続く報告により差分でないＣＱＩ情報が報告される。
【００３０】
無線通信デバイスが異なったチャネルで通信する実施形態では、ＣＱＩ情報、即ち、各チャネルにおける周波数帯域の報告は、何らかの交代規則に基づいてよい。より詳細には、各チャネルにおいて測定される周波数帯域に対し異なる報告が生成され、この報告は異なる時間に送信される。例えば、移動局が第１及び第２のチャネルにおいて複数の周波数帯域を監視する実施形態では、各チャネルのＣＱＩ報告は交互に送信されてよい。２より多くのチャネルが存在する実施形態では、報告はラウンドロビン式に行われてよい。他の報告手法又はスケジュールも用いられてよい。
【００３１】
一般に、ＣＱＩ測定及び報告は定期的に行われる。例えば、ＣＱＩは何らかの既知の周期のあいだに１フレーム毎又はｎフレーム毎に報告される。これに代えて、ＣＱＩ毎にｎ帯域、例えば、奇数帯域、偶数帯域が報告されるように、ＣＱＩ測定が組み合わせられてもよい。他の実施形態では、ＣＱＩ報告はイベント駆動される。このイベントはＣＱＩ周期を開始させるノードＢからの指令であってもよく、或いは、このイベントにエッジノード固有のしきい値（ＵＥにより用いられる）が含まれてもよく、超過することによりイベントしきい値が形成される。このイベントに、履歴成分が含まれることも可能であり、例えば、しきい値Ｔが超過される場合に報告を開始し、報告されるメトリックがＴ−Δより小さくなるまで報告を停止しない。パケットを受信せずにタイマが満了する場合、ＣＱＩの報告は停止され得る。報告のレートはドップラーによるが、例えば、高速で広帯域ＣＱＩを送信する。
【００３２】
ＣＱＩはＳＮＲを報告することにより、又は、セル全体を通じてブロードキャストされるパイロットシンボルに対し適用可能な別のＳＮＲ関連メトリックを報告することにより、送信されてよい。本発明では、このパイロットシンボルをグローバル参照シンボル（ＧＲＳ；Ｇｌｏｂａｌ  Ｒｅｆｅｒｅｎｃｅ  Ｓｙｍｂｏｌ）とも呼ぶ。専用パイロットＣＱＩを用いてハンドオフ決定のサービスを提供することが可能である。専用ＣＱＩは、ネットワークにより許可される時間−リソース割り当てに応じて、広帯域又は狭帯域であることが可能である。グローバル参照シンボル（ＧＲＳ）に基づくＣＱＩは必ずしもフレームのデータ部分を通じて干渉レベルを反映する必要はない。同期ネットワークでは、ＧＲＳに対するＴＤＭアプローチが適合される場合、及び、隣接セル（即ち、隣接リストにより指定されるセル）を考慮することなくＧＲＳが全セルにより最大出力で送信され、ＵＥがＧＲＳを処理する場合、ＧＲＳ  ＣＱＩメトリックはデータに割り当てられるＯＦＤＭシンボルのあいだより低い達成可能なＳＮＲを示してよい。非同期ネットワークにおいては、２つの隣接セルが時間において整合する場合、問題が発生し得る。ネットワークは同期ネットワークとして指定され、ＧＲＳと隣接セルからのデータシンボルとの整合を保証するようにフレームが交代される必要がある。可能な解決法の１つは、フレームのデータ部分のあいだ実際の干渉負荷を反映するＣＱＩ生成を可能とし、データに割り当てられるＯＦＤＭシンボル内に限定された参照シンボルのセットを提供することである。そのような、埋め込まれている参照シンボルのセットは専用パイロット提供に用いられるシンボルと同じであってよい。
【００３３】
専用周波数帯域マッピング及びＣＱＩ報告手続は、送受信機にて複数のアンテナを用いるＭＩＭＯ方式により達成されるような、複数の空間チャネルの場合にも適用可能である。一実施形態では、全ての空間チャネルへ報告が送信される。別の実施形態では、例えば、空間チャネルのうちの１つのみなど、全ての空間チャネルより少ないチャネルへ報告が送信される。一般に、１つ以上の報告には各々、差分ＣＱＩ値のビットマップと、１つ以上の他の帯域に対する差分でないＣＱＩ情報とが含まれる。報告用に選択される空間チャネルは最高のＳＮＲ又はＳＩＮＲメトリックに基づいてもよく、サポートされるデータレートを示すその他のメトリックに基づいてもよい。
【図面の簡単な説明】
【００３４】
【図１】例示的な無線通信システムの図。
【図２】例示的な無線通信端末の図。
【図３】例示的な処理のフローチャート。
【図４】チャネル品質インジケータ情報報告のシーケンスの論理表現の図。
【図１】
2007043697.tif 000003
【図２】
2007043697.tif 000004
【図３】
2007043697.tif 000005
【図４】
2007043697.tif 000006